(57)【要約】【課題】  構造が簡単であって低コストに製作可能であり、しかも商品を収容した状態で開口上部を確実かつ容易に閉じることができ、さらにはコンパクトな状態で保管、搬送が可能な手提げ袋を提供する。【解決手段】  有底にして上部が開口する袋本体１の前後の胴部３、３外面にそれぞれ紐状の把手４、４の基部４ａ、４ａを貼り付けてなる手提げ袋であって、袋本体の開口上部に開口上端辺に沿う帯状の延伸部５を設け、前記把手をこの延伸部よりも下方に貼着し、袋本体内に物品を収容して前記延伸部の上半部を前後いずれかの胴部側に折り畳むと、開口端縁が前後いずれかの胴部外面と、当該胴部に貼着されている把手の内側との間に挟み込まれて閉封されるように構成した。【選択図】  図３
2007112504.tif 000002
【特許請求の範囲】
【請求項１】
有底にして上部が開口する袋本体の前後の胴部外面にそれぞれ紐状の把手の基部を貼り付けてなる手提げ袋であって、袋本体の開口上部に開口上端辺に沿う帯状の延伸部を設け、前記把手をこの延伸部よりも下方に貼着し、袋本体内に物品を収容して前記延伸部の上半部を前後いずれかの胴部側に折り畳むと、開口端縁が前後いずれかの胴部外面と、当該胴部に貼着されている把手の内側との間に挟み込まれて閉封されるように構成してなる手提げ袋。
【請求項２】
前記延伸部の上半部に、前記開口上端辺と平行をなす折目線を設けてなる請求項１に記載の手提げ袋。
【請求項３】
前記把手を、平紐で構成してなる請求項１に記載の手提げ袋。
【請求項４】
前記把手に、この把手を前記袋本体の底方向へ折り畳むための折目線を付してなる請求項３に記載の手提げ袋。
【発明の詳細な説明】
【技術分野】
【０００１】
本発明は商品を包装するための手提げ袋に関する。
【背景技術】
【０００２】
商品包装用の手提げ袋には種々の形態のものがあるが、簡単な構造で安価なものとしては手提げ紐を袋本体の内側に貼着したもの（例えば、特許文献１参照）が一般的であり、広く普及している。
【０００３】
上述のような手提げ袋は、原則として開口上部を閉じることなく開いたままで使用されるが、袋の内容物が見えて体裁が悪いという理由や、食品を収容した場合に不衛生なイメージがあるという理由などにより、開口上部を閉じることができるようにすることが望まれる場合もある。
【０００４】
上述した要望に対しては、開口上部を閉じ合わせて外側から粘着テープで固定するという対応がごく一般的であるが、袋本体の開口上部内面に両面粘着テープや面ファスナーあるいは雌雄の係合部材を設けて開口上部を閉じることができるようにしたものも実用に供されており、また袋本体とは別部材の蓋体を設けるようにした構成のものも提案されている（例えば、特許文献２参照）。
【０００５】
しかしながら、粘着テープで固定するだけの閉じ方では袋本体の強度によってテープ貼着部まわりが裂けてしまったり、テープの方が裂けてしまったりするおそれがある。
【０００６】
また、両面粘着テープや面ファスナー等の閉じ具を用いるものでは手提げ袋のコストが嵩むという問題がある。
【０００７】
さらに、把手の基部を袋本体の内側に固定したものでは、物品を袋本体内に収容する際に物品が把手に引っ掛かって物品を傷めるおそれもある。
【特許文献１】特開２０００−３５５３１１号公報（第１〜６頁、図１〜１５参照）
【特許文献２】特開平２００４−１９６３６３号公報（第１〜６頁、図１〜４参照）
【発明の開示】
【発明が解決しようとする課題】
【０００８】
本発明は、構造が簡単であって低コストに製作可能であり、しかも商品を収容した状態で開口上部を確実かつ容易に閉じることができ、さらにはコンパクトな状態で保管、搬送が可能な手提げ袋を提供することを目的としている。
【課題を解決するための手段】
【０００９】
上記課題を解決するために、本発明の請求項１に係る手提げ袋は、有底にして上部が開口する袋本体の前後の胴部外面にそれぞれ紐状の把手の基部を貼り付けてなる手提げ袋であって、袋本体の開口上部に開口上端辺に沿う帯状の延伸部を設け、前記把手をこの延伸部よりも下方に貼着し、袋本体内に物品を収容して前記延伸部の上半部を前後いずれかの胴部側に折り畳むと、開口端縁が前後いずれかの胴部外面と、当該胴部に貼着されている把手の内側との間に挟み込まれて閉封されるようにした構成のものとしてある。
【００１０】
本発明の請求項２に係る手提げ袋は、前記延伸部の上半部に、前記開口上端辺と平行をなす折目線を設けてなる構成のものとしてある。
【００１１】
本発明の請求項３に係る手提げ袋は、前記把手を、平紐で構成したものとしてある。
【００１２】
本発明の請求項４に係る手提げ袋は、前記把手に、この把手を前記袋本体の底方向へ折り畳むための折目線を付してなる構成のものとしてある。
【発明の効果】
【００１３】
本発明によれば、物品を収容した状態で延伸部を折り畳むことにより、折り畳まれた部分が把手の基部と袋本体の胴部との間に挟まれて袋本体の開口上部を簡単かつ確実に塞ぐことができ、しかも開口上部全体が封止されるので体裁もよく、商品の包装用として意匠の自由度向上を期すことができる。
【００１４】
また、把手に平紐を用いたものでは、折り畳まれた延伸部をより確実に挟み込んで閉封状態を安定的に維持することができる。
【００１５】
さらに、構造が簡単であって低コストに製作可能であり、例えば紙製手提げ袋に適用する場合には袋本体に把手を貼着した袋を製造する従来の製造ラインに若干の変更を加えるだけで製造が可能であるという実用上の大なるメリットがある。
【００１６】
また、把手の基部に折目線を付したものでは、袋の使用前において把手を下方に畳んだ状態とすることができ、すなわち袋本体の開口部よりも把手が突出しないように畳むことができ、コンパクトな状態で保管、搬送ができる。
【００１７】
さらに、把手を袋本体の外側に貼着してあるので、袋本体内に物品を収容する際に把手が邪魔になるようなおそれがなく、スムーズに物品の出し入れを行うことができる。
【発明を実施するための最良の形態】
【００１８】
以下、本発明に係る手提げ袋の実施例を添付図面に示す具体例に基づいて詳細に説明する。
上部が開口する袋本体１は底部２を角底としてあって、例えばクラフト紙よりなる一般的な角底袋で構成してあって、前後の胴部３、３の開口上端寄り外面に把手４、４を貼着してある。
【００１９】
上記把手４、４は平紐タイプのものとしてあり、例えば袋本体１と同じ素材、すなわち本実施例ではクラフト紙で構成してあって、平紐状に構成したクラフト紙の両端を適宜の接着剤で前後の胴部に貼り付けて把手としてある。
【００２０】
しかして、上記把手４、４の基部における胴部３、３への貼着部４ａ、４ａよりも上方における袋本体には、帯状の延伸部５を設けてあり、この延伸部５の上半部には袋本体の開口上端縁と平行をなす折目線６を例えば型押し等の手段で付してある。
【００２１】
また、前記把手４、４の貼着部４ａ、４ａよりも上方には、把手を構成する平紐の幅亘りに折目線７を例えば型押し等の手段で付してあって、把手を下方へ容易に折り畳むことができるように構成してある。
【００２２】
上述のように構成した本発明の手提げ袋においては、把手４、４または開口上端を前後に引っ張り、袋本体１の上部を開いて物品を袋本体内に収容し、開口上部を閉じ合わせた状態で前記折目線６において延伸部５を前後いずれかの胴側へ折り畳む。
【００２３】
かくすると、下方に向かって折り畳まれた開口端８が胴３と把手との間に臨み、さらに把手を手に取って袋本体を手に提げると、開口端８は把手と胴の間に挟みこまれ、開口端がしっかりと閉止される。
【００２４】
なお、より確実に開口部を閉止することを目的として、開口端と胴部の間に粘着テープ等の固定材を付す場合もある。
【００２５】
上述した実施例のものでは、把手に紙製の平紐を用いているが、丸紐やその他の形状のものを採用する場合もあるし、紙以外の例えば合成樹脂成形品や繊維製品の把手を使用する場合もある。
【００２６】
また、上述した実施例のものでは袋本体１をクラフト紙製の角底袋としてあるが、袋本体の素材もクラフト紙以外の紙や合成樹脂製のシート材あるいは織物等の繊維製シート材を使用する場合もあるし、角底ではなくマチのない袋を使用する場合もある。
なお、袋本体１と把手４、４とは同じ素材としておけば、廃棄の際に分別処理やリサイクルを容易ならしめることができる。
【００２７】
図５は本発明に係る袋の把手を折り畳んだ状態を示しており、把手が胴部側に折り畳まれ、把手が袋本体の上部に突出しない状態とされる。かくすることにより、保管、運搬の際のサイズをコンパクトにすることができるという実用上の大なるメリットがある。
【図面の簡単な説明】
【００２８】
【図１】本発明に係る袋の実施例を示す斜視図。
【図２】図１における把手基部の拡大縦断面図。
【図３】本発明に係る袋の使用状態の一例を示す斜視図。
【図４】図３における把手基部の拡大縦断面図。
【図５】把手を折り畳んだ状態を示す縦断面図。
【符号の説明】
【００２９】
１  袋本体
２  底部
３  胴部
４  把手
５  延伸部
６  延伸部の折目線
７  把手の折目線
８  開口端
【図１】
2007112504.tif 000003
【図２】
2007112504.tif 000004
【図３】
2007112504.tif 000005
【図４】
2007112504.tif 000006
【図５】
2007112504.tif 000007
【手続補正書】
【提出日】平成17年10月25日(2005.10.25)
【手続補正１】
【補正対象書類名】明細書
【補正対象項目名】０００７
【補正方法】変更
【補正の内容】
【０００７】
さらに、把手の基部を袋本体の内側に固定したものでは、物品を袋本体内に収容する際に物品が把手に引っ掛かって物品を傷めるおそれもある。
【特許文献１】特開２０００−３５５３３１号公報（第１〜６頁、図１〜１５参照）
【特許文献２】特開２００４−１９６３６３号公報（第１〜６頁、図１〜４参照）